(57)【要約】  【課題】熱風による不快感や空気汚濁等のない空気循環式のヘアドライヤーを提供する。  【解決手段】先端に吹出し口１０を有する筒状の本体１と、この本体１の内部に設けられた送風用のファン１２と、このファン１２を回転駆動するモータ１３と、吹出し口１０とファン１２との間に設けられたヒータ１４とを備え、ファン１２の回転により送風される空気をヒータ１４により加熱して吹出し口１０から排出するヘアドライヤーにおいて、本体１の周囲に、当該本体１の外径ｄ１よりも大きい内径ｄ２を有する筒状体２を配設して、本体１と筒状体２との間に吸気路８を形成し、吹出し口１０から排出され人体５で反射した空気を、吸気路８を介して本体１の後端に設けた吸気口１ｂから本体１の内部へ戻すようにした。【選択図】  図１
2006130181.tif 000002
【特許請求の範囲】
【請求項１】
先端に吹出し口を有する筒状の本体と、この本体の内部に設けられた送風用のファンと、このファンを回転駆動するモータと、前記吹出し口と前記ファンとの間に設けられたヒータとを備え、前記ファンの回転により送風される空気を前記ヒータにより加熱して前記吹出し口から排出するヘアドライヤーにおいて、
前記本体の周囲に、当該本体の外径よりも大きい内径を有する筒状体を配設して、前記本体と筒状体との間に吸気路を形成し、
前記吹出し口から排出され人体で反射した空気を、前記吸気路を介して、前記本体の後端に設けた吸気口から本体内部へ戻すようにしたことを特徴とするヘアドライヤー。
【請求項２】
請求項１に記載のヘアドライヤーにおいて、
前記吹出し口から排出された空気を吸気路へ吸気する第１の動作モードと、吹出し口から排出された空気を吸気路へ吸気しない第２の動作モードとを切り替える切替手段を設けたことを特徴とするヘアドライヤー。
【請求項３】
請求項１または請求項２に記載のヘアドライヤーにおいて、
前記本体は把持部に連結されていて、当該本体および把持部により既存のヘアドライヤーが構成されており、
前記筒状体は、前記本体および／または把持部に着脱自在に取り付けられていることを特徴とするヘアドライヤー。
【請求項４】
請求項１ないし請求項３のいずれかに記載のヘアドライヤーにおいて、
前記筒状体の先端部が、所定角度をもって拡開していることを特徴とするヘアドライヤー。
【請求項５】
請求項４に記載のヘアドライヤーにおいて、
前記筒状体の先端側の開口部が、前記本体の吹出し口よりも前方に位置していることを特徴とするヘアドライヤー。
【請求項６】
請求項１ないし請求項５のいずれかに記載のヘアドライヤーにおいて、
前記筒状体は、前記本体の周囲に配設される第１の筒状体と、この第１の筒状体に取り付けられ先端に開口部を有する第２の筒状体とからなり、
前記第２の筒状体は、前記本体の長手方向へ移動可能となっていることを特徴とするヘアドライヤー。
【請求項７】
請求項１ないし請求項６のいずれかに記載のヘアドライヤーにおいて、
前記本体の吸気口の近傍に、吸気用のファンと、このファンを回転駆動するモータとを設けたことを特徴とするヘアドライヤー。
【発明の詳細な説明】
【技術分野】
【０００１】
本発明は、整髪等に用いられるヘアドライヤーに関するものである。
【背景技術】
【０００２】
ヘアドライヤーは、洗髪後の毛髪を乾燥させるための電気器具として、家庭で広く用いられている。一般にヘアドライヤーは、先端に吹出し口を有する筒状の本体と、この本体の内部に設けられた送風用のファンと、このファンを回転駆動するモータと、吹出し口とファンとの間に設けられたヒータとを備えており、ファンの回転により送風される空気をヒータにより加熱して吹出し口から排出するようになっている。
【０００３】
しかしながら、従来のヘアドライヤーにおいては、吹出し口からの熱風が頭部に一方的に吹き付けるだけであるため、ドライヤーの動作中に熱風のため頭部が熱く感じることがある。特に、暑い季節にあってはドライヤーの熱風は不快感を与える場合が多い。また、吹出し口からの熱風は排出されたままとなるので、冷房した部屋の空気が加熱されたり、熱風に混じっている匂いで部屋の空気が汚濁されたりして不快感を与えることもある。
【０００４】
一方、手の乾燥に用いるハンドドライヤーの分野においては、例えば後掲の特許文献１〜４に記載されているように、熱風を循環させることで空気の汚濁等を防ぐようにしたものが多数提案されている。これらの空気循環式ドライヤーは、いずれも、発生した熱風を装置内部に設けた空気回収手段により回収して、外部へ排出することなく循環させるものである。しかしながら、ヘアドライヤーの場合は、ハンドドライヤーとは異なり、熱風を外部へ排出しなければ本来の機能が達成されないため、上述したハンドドライヤーの空気循環構造をそのまま採用することはできない。このため、ハンドドライヤーにおいて、熱風による不快感や空気汚濁等の問題を解消するには、ハンドドライヤー特有の循環機構が必要となる。
【０００５】
【特許文献１】特開平１０−２４８７４７号公報
【特許文献２】特開平１０−３１４０６８号公報
【特許文献３】特開２００３−３２５３７９号公報
【特許文献４】特開２００４−２３６７１４号公報
【発明の開示】
【発明が解決しようとする課題】
【０００６】
本発明は上述した点に鑑み、熱風による不快感や空気汚濁等のない空気循環式のヘアドライヤーを提供することを課題としている。
【課題を解決するための手段】
【０００７】
本発明では、先端に吹出し口を有する筒状の本体と、この本体の内部に設けられた送風用のファンと、このファンを回転駆動するモータと、吹出し口とファンとの間に設けられたヒータとを備え、ファンの回転により送風される空気をヒータにより加熱して吹出し口から排出するヘアドライヤーにおいて、本体の周囲に、当該本体の外径よりも大きい内径を有する筒状体を配設して、本体と筒状体との間に吸気路を形成する。そして、吹出し口から排出され人体で反射した空気を、上記吸気路を介して、本体の後端に設けた吸気口から本体内部へ戻すようにしている。
【０００８】
このようにすれば、吹出し口から空気を排出しつつ、頭部等で反射した用済み後の空気が、本体と筒状体との間の吸気路を通って本体内部へ戻されるので、吹出し口から吹き出した空気の一部を回収して循環させることができる。このため、頭部等の付近の余熱をもった空気をすみやかに回収することで、暑い季節であっても熱風にさらされることによる不快感が軽減されるとともに、周囲の空気が不必要に加熱されたり、熱風に混じっている匂いで空気が汚濁されたりするのを効果的に防止することができる。また、本体の周囲に筒状体を設けるだけの簡単な構造で実現が可能であり、小型で軽量の製品を提供することができる。
【０００９】
本発明の好ましい実施形態においては、吹出し口から排出された空気を吸気路へ吸気する第１の動作モードと、吹出し口から排出された空気を吸気路へ吸気しない第２の動作モードとを切り替える切替手段が設けられる。これによると、排出された空気の吸気・非吸気を選択することができるので、例えば、夏場においては第１の動作モードを選択することで、余熱空気を吸気して暑さを軽減することができ、冬場においては第２の動作モードを選択することで、余熱空気を吸気せずに乾燥を早めることができる。
【００１０】
また、本発明の好ましい実施形態においては、本体は把持部に連結されていて、当該本体および把持部により既存のヘアドライヤーが構成されており、筒状体が本体および／または把持部に着脱自在に取り付けられている。これによると、アタッチメントとしての筒状体を既存のヘアドライヤーに取り付けるだけで、空気循環式ヘアドライヤーを得ることができる。
【００１１】
また、本発明の好ましい実施形態においては、筒状体の先端部が所定角度をもって拡開している。これによると、排出された空気の吸入範囲が広がって、効率良く空気を循環させることができる。この場合、筒状体の先端側の開口部を本体の吹出し口よりも前方に位置させることで、吸入範囲がさらに増大し、より広い領域の空気を効率良く吸入することができる。
【００１２】
また、本発明の好ましい実施形態においては、筒状体は、本体の周囲に配設される第１の筒状体と、この第１の筒状体に取り付けられ先端に開口部を有する第２の筒状体とからなり、第２の筒状体は、本体の長手方向へ移動可能となっている。これによると、使用目的に応じて、本体の吹出し口と第２の筒状体の開口部との距離を調節することで、空気の吸入量（回収量）を容易にコントロールすることができる。
【００１３】
また、本発明の好ましい実施形態においては、本体の吸気口の近傍に、吸気用のファンと、このファンを回転駆動するモータとが設けられる。これによると、吸気用のファンの回転によって吸気力が強化されるので、空気をより一層効率良く循環させることができる。
【発明の効果】
【００１４】
本発明によれば、熱風による不快感や空気汚濁等がなく、快適な環境で整髪や乾燥を行える空気循環式のヘアドライヤーを提供することができる。
【発明を実施するための最良の形態】
【００１５】
図１は、本発明に係るヘアドライヤーの一実施形態を示す図であって、（ａ）は正面断面図、（ｂ）は（ａ）のＸ−Ｘ断面図である。ヘアドライヤー１００は、本体１と、この本体１の周囲に配設された筒状体２と、本体１の後端と筒状体２の後端との間に配設される切替板３と、本体１に連結された把持部１５とを備えている。
【００１６】
本体１は有底の略円筒状に形成されていて、その先端部は先細りのテーパ部１ａとなっており、このテーパ部１ａの先端には吹出し口１０が開口している。また、本体１の後端（底部）には複数の吸気口１ｂが設けられている。１２は本体１の内部に設けられた送風用のファン、１３はファン１２を回転駆動するモータ、１４は吹出し口１０とファン１２との間に設けられたヒータである。
【００１７】
筒状体２も有底の略円筒状に形成されていて、その先端部は所定角度をもって拡開するテーパ部２ａとなっており、このテーパ部２ａの先端には開口部１１が形成されている。また、筒状体２の後端（底部）には複数の吸気口２ｂが設けられている。図１（ｂ）に示すように、筒状体２は、本体１の外径ｄ１よりも大きい内径ｄ２を有しており、本体１の周囲に、本体１を囲むように配設されている。この結果、本体１と筒状体２との間に、空気を循環させるための吸気路８が形成される。この吸気路８は、本体１の吸気口１ｂと連通している。なお、筒状体２は、図示しない固定部材により、本体１もしくは把持部１５（またはその両方）に固定されている。
【００１８】
切替板３は、筒状体２の内径ｄ２とほぼ等しい直径を有する円盤状のプレートからなり、図示しない切替機構によって矢印ａｂ方向に移動可能となるように設けられている。この切替板３は複数の透孔３ａを有しており、これらの透孔３ａは、本体１の吸気口１ｂと対応する位置に形成されているとともに、筒状体２の吸気口２ｂとは位置がずれるように形成されている。図１の状態では、切替板３が筒状体２に当接していて、筒状体２の吸気口２ｂが切替板３によって塞がれている。
【００１９】
把持部１５は、手で操作することによりオン・オフするスイッチ１６と、モータ１３およびヒータ１４に電流を供給するための電源コード１７とを備えている。この把持部１５は、本体１を支持しているとともに、筒状体２から外部へ導出されている。
【００２０】
上記構成からなるヘアドライヤー１００において、スイッチ１６をオンにすると、モータ１３が駆動されてファン１２が回転し、ファン１２で発生した風が破線Ａで示すように前方へ送られる。また、ヒータ１４が通電により発熱し、ファン１２からの風がヒータ１４で加熱されて、破線Ｂで示すように吹出し口１０へ送られる。この結果、吹出し口１０から熱風４が排出され、これが人体の頭部５へ吹き付けられる。破線６は熱風４の吹き付ける領域を示している。熱風４の吹き付けによって、頭部５の毛髪の乾燥が行われる。一方、吹き付けられた熱風４は、頭部５で反射して放散する。破線７は反射した熱風の放散領域を示している。
【００２１】
図１においては、前述のように、筒状体２の吸気口２ｂが切替板３によって塞がれているので、ファン１２の回転によって、頭部５で反射して放散した熱風の一部が、破線Ｃで示すように開口部１１へ吸い込まれ、破線Ｄのように吸気路８を通り、破線Ｅのように吸気口１ｂから本体１の内部へ流入する。そして、流入した熱風は、ファン１２により再び送り出され、ヒータ１４で加熱されて吹出し口１０から排出される。このようにして、Ａ→Ｂ→Ｃ→Ｄ→Ｅ→Ａの経路で空気の循環が行われる。
【００２２】
上述した実施形態によると、吹出し口１０から熱風４を排出しつつ、頭部５で反射した用済み後の熱風が、本体１と筒状体２との間の吸気路８を通って本体１の内部へ戻されるので、吹出し口１０から吹き出した熱風４の一部を回収して循環させることができる。このため、頭部５付近の余熱をもった空気をすみやかに回収することで、暑い季節であっても熱風４にさらされることによる不快感が軽減されるとともに、周囲の空気が不必要に加熱されたり、熱風４に混じっている匂いで空気が汚濁されたりするのを効果的に防止することができる。また、本体１の周囲に筒状体２を設けるだけの簡単な構造で実現が可能であり、小型で軽量の製品を提供することができる。
【００２３】
また、図１においては、切替板３が矢印ａｂ方向に移動可能となっているので、図２のように、切替板３を本体１側に当接するように切り替えることにより、空気を循環しないようにすることもできる。すなわち、図２の状態では、吸気路８の後部が切替板３で閉塞されているとともに、筒状体２の吸気口２ｂが開放されており、かつ、切替板３の透孔３ａと本体１の吸気口１ｂとが一致しているので、ファン１２の回転によって、破線Ｆで示すように、吸気口２ｂ、透孔３ａおよび吸気口１ｂを介して、外気が本体１の内部へ取り込まれる。取り込まれた空気は、ファン１２により送り出され、ヒータ１４で加熱されて吹出し口１０から排出される。一方、吸気路８と吸気口１ｂとが切替板３で分断されていることにより、ファン１２が回転しても開口部１１において空気吸入力が作用しないので、頭部５で反射して放散した熱風が開口部１１から吸気路８へ流入することはない。すなわち、空気の循環は行われない。
【００２４】
このようにして、切替板３の位置を切り替えることにより、図１のように吹出し口１０から排出された空気を吸気路８へ吸気する循環動作（第１の動作モード）と、図２のように吹出し口１０から排出された空気を吸気路８へ吸気しない非循環動作（第２の動作モード）とを選択することができる。このため、例えば、夏場においては循環動作を選択することで、余熱空気を吸気して暑さを軽減することができ、また、冬場においては非循環動作を選択することで、余熱空気を吸気せずに乾燥を早めることができる。
【００２５】
図３は、切替板３の位置を切り替えるための切替機構の一例を示した要部断面図である。図３において、図１および図２と同一部分には同一符号を付してある。２０は回転ツマミであって、本体１および筒状体２に回転自在に支持されている。切替板３と回転ツマミ２０とによって、本発明の切替手段が構成される。回転ツマミ２０の脚部にはスクリューねじ２１が形成されており、このスクリューねじ２１は、切替板３に形成されたねじ部（図示省略）と螺合している。このため、図３（ａ）の状態から回転ツマミ２０を一方向に回すと、スクリューねじ２１の回転に伴って切替板３がａ方向へ移動し、図３（ｂ）のように、切替板３が本体１と当接する位置まで移動する。また、図３（ｂ）の状態から回転ツマミ２０を他方向に回すと、スクリューねじ２１の回転に伴って切替板３がｂ方向へ移動し、図３（ａ）のように、切替板３が筒状体２と当接する位置まで移動する。このようにして、図３の切替機構によれば、回転ツマミ２０を回すことで、切替板３の位置を切り替えることができる。
【００２６】
図４は、切替機構の他の例を示した要部断面図である。図４において、図１および図２と同一部分には同一符号を付してある。３１はキャップ状の切替板であって、その底部には複数の透孔３１ａが形成されている。これらの透孔３１ａは、本体１の吸気口１ｂと対応する位置に形成されている。また、切替板３１の側壁には、凹部３１ｂ、３１ｃが形成されている。これらの凹部３１ｂ、３１ｃは、筒状体２の後端部に形成された凸部２ｃと嵌合可能になっている。切替板３１によって、本発明の切替手段が構成される。なお、筒状体２の後端は開放されており、図３のような吸気口２ｂは設けられていない。３２は本体１に固着された支柱であって、切替板３１はこの支柱３２をガイドとして、ａｂ方向へ移動自在となっている。支柱３２はフランジ３２ａを有しており、このフランジ３２ａにより切替板３１のｂ方向への移動が規制される。図４（ａ）の状態では、凹部３１ｂと凸部２ｃとが嵌合しており、切替板３１の透孔３１ａがフランジ３２ａで閉塞されるとともに、吸気路８が本体１の吸気孔１ｂと連通するため、図１の場合と同様に空気の循環が行われる。今、図４（ａ）の状態から、切替板３１を手で把持してａ方向へ動かすと、凹部３１ｂと凸部２ｃの嵌合が外れて、図４（ｂ）のように切替板３１の凹部３１ｃと、筒状体２の凸部２ｃとが嵌合し、切替板３１が本体１と当接する。この状態では、吸気路８の後端が切替板３１で閉塞されるため、空気の循環は行われない。このようにして、図４の切替機構によれば、切替板３１を直接ａｂ方向に動かすことによって、切替板３１の位置を切り替えることができる。
【００２７】
図５は、本発明の他の実施形態に係るヘアドライヤーの分解斜視図である。本実施形態は、ヘアドライヤー４０と、このヘアドライヤー４０に着脱自在に装着される筒状体５０と、この筒状体５０の先端部に着脱自在に装着されるリング体６０と、筒状体５０の後端部に着脱自在に装着されるキャップ７０とからなる。
【００２８】
ヘアドライヤー４０は、本体４１と、この本体４１に連結された把持部４３とを備えており、これらによって既存のヘアドライヤーが構成されている。４２は本体４１の先端に設けられた空気の吹出し口、４４は手で操作することによりオン・オフするスイッチ、４５は本体４１に内蔵されているモータとヒータに電流を供給するための電源コードである。
【００２９】
筒状体５０は、接合部５８において連結された一対の船形をした樹脂成型品からなる。５１はヘアドライヤー４０の本体４１を収納する収納部、５２はヘアドライヤー４０の把持部４３と嵌合する嵌合部、５３は把持部４３を導出するための導出口である。５４は筒状体５０の先端の開口部、５５は筒状体５０の先端側の外周に形成された段部、５６は筒状体５０の後端側の外周に形成された段部、５７は筒状体５０の後端側の内面に設けられた支持部である。
【００３０】
リング体６０は、金属または合成樹脂からなり、ヘアドライヤー４０の本体４１の先端部が嵌合する開口部６１と、この開口部６１の周囲に形成された複数の吸気口６２とを備えている。また、キャップ７０も金属または合成樹脂からなり、開口部７１を備えている。
【００３１】
以上の構成において、既存のヘアドライヤー４０を空気循環式のヘアドライヤーとするには、ヘアドライヤー４０の本体４１を筒状体５０の一方の収納部５１（図５では手前側の収納部５１）に収納するとともに、把持部４３を筒状体５０の一方の嵌合部５２（図５では手前側の嵌合部５２）に嵌合させる。このとき、本体４１の後部は筒状体５０に設けられた支持部５７により支持される。この状態で、２つ割りの筒状体５０を図のｃ方向に折りたたむようにして重ね合わせる。次に、リング体６０を筒状体５０の先端部へｄ方向に嵌合し、段部５５に当接するまでリング体６０を圧入する。このとき、開口部６１にヘアドライヤー４０の本体４１の先端部が嵌合する。さらに、キャップ７０を筒状体５０の後端部へｅ方向に嵌合し、段部５６に当接するまでキャップ７０を圧入する。これらのリング体６０およびキャップ７０の圧入により、２つ割りの筒状体５０は開かないように固定される。そして、ヘアドライヤー４０が筒状体５０により挟着されて、本体４１は筒状体５０の内部に収納され、把持部４３は導出口５３から外部へ導出される。この状態を図６の外観図に示す。
【００３２】
このようにして組み立てられたヘアドライヤーにおいては、図７の断面図に示したように、筒状体５０の内径がヘアドライヤー４０の本体４１の外径よりも大きくなっているので、本体４１と筒状体５０との間に吸気路５９が形成され、この吸気路５９はリング体６０の吸気口６２と連通している。また、本体４１の後端には、図１で示した吸気口１ｂと同様の吸気口（図示省略）が設けられている。したがって、図１と同様の原理により、吹出し口４２から排出されて頭部で反射した熱風の一部を、図７の破線で示すように、吸気口６２から吸気路５９を介して本体４１の内部に戻し、循環させることができる。
【００３３】
上述した実施形態によると、アタッチメントとしての筒状体５０を既存のヘアドライヤー４０に取り付けるだけで、空気循環式ヘアドライヤーを得ることができる。また、筒状体５０はヘアドライヤー４０に着脱自在に取り付けられており、リング体６０とキャップ７０を外せば筒状体５０をヘアドライヤー４０から簡単に取り外せるので、使用目的に応じて、既存のヘアドライヤー４０を循環式と非循環式とに使い分けることができる。本実施形態では、図１に示した切替板３を設け、筒状体５０を装着した状態で循環・非循環を切り替えるようにしてもよい。この場合、図３や図４に示した切替機構を採用することができる。さらに、リング体６０を先端が拡開した形状に形成して、空気の吸入範囲を広げるようにしてもよい。なお、上記実施形態では、筒状体５０をヘアドライヤー４０に着脱自在に装着するにあたって、筒状体５０を本体４１と把持部４３の両方に取り付けているが、筒状体５０は本体４１と把持部４３のいずれか一方のみに取り付けてもよい。
【００３４】
図８は、吹出し口付近の構造による空気吸入効果の違いを説明する図である。図において、図１と同一部分には同一符号を付してある。また、破線は空気の流れを表している。図８（ａ）は、ヘアドライヤーの本体１の周囲に筒状体２を設けない場合であって、吹出し口１０から排出され頭部５で反射した空気は、本体１へは戻らない。図８（ｂ）は、本体１の周囲に筒状体２を設けた場合であって、吹出し口１０から排出され頭部５で反射した空気の一部は、開口部１１へ吸い込まれ、吸気路８を通って本体１の後端の吸気口（図示省略）から本体１の内部へ戻され、循環する。図８（ｃ）は、角度αで拡開するテーパ部２ａを有する筒状体２を設けた場合であって、図１の例に相当する。この場合は、開口部１１の面積が大きくなり、空気の吸入範囲Ｋ２が図８（ｂ）の場合の吸入範囲Ｋ１よりも増加するため、空気の吸入効率が向上する。図８（ｄ）は、角度βで拡開するテーパ部２ａを有する筒状体２を設け、かつ、テーパ部２ａの開口部１１を本体１の吹出し口１０よりも距離Ｌだけ前方に位置させた場合である。この場合は、図８（ｃ）に比べて吸入範囲Ｋ３がさらに増加し、より広い領域の空気を効率良く吸入することができる。また、角度βを角度αより大きくすることで、吸入範囲Ｋ３を一層広げることができる。
【００３５】
図９は、本発明の他の実施形態に係るヘアドライヤーの要部断面図である。本実施形態では、筒状体８０が、本体１の周囲に配設される第１の筒状体８１と、この筒状体８１の先端部に取り付けられる第２の筒状体８２とからなる。筒状体８１、８２の一方または両方は、樹脂材料から形成されている。筒状体８１の外周面には、スクリューねじを構成する溝部８３が形成されている。また、筒状体８２は、先端側に所定角度で拡開するテーパ部８２ａを有しているとともに、上記溝部８３に嵌合する螺旋状の突条８２ｂが内周面に形成されている。したがって、筒状体８２を軸回りに回転させることにより、筒状体８２は破線のように本体１の長手方向（ｖｗ方向）へ連続的に移動するので、使用目的に応じて、本体１の吹出し口１０と筒状体８２の開口部１１との距離を調節することで、吸気路８５への空気吸入量（回収量）を容易にコントロールすることができる。
【００３６】
図１０は、他の実施形態に係るヘアドライヤーの要部断面図である。図９と同一部分には同一符号を付してある。本実施形態では、第１の筒状体８１の外周面に、図９のスクリューねじ８３に代えて、環状の溝部８４が所定ピッチで形成されている。また、第２の筒状体８２の内周面には、図９の螺旋状の突条８２ｂに代えて、溝部８４と嵌合する環状の突条８２ｃが形成されている。したがって、筒状体８２を軸方向に動かすと、筒状体８２は破線のように本体１の長手方向（ｖｗ方向）へ所定ピッチで移動するので、使用目的に応じて、本体１の吹出し口１０と筒状体８２の開口部１１との距離を調節することで、吸気路８５への空気吸入量（回収量）を容易にコントロールすることができる。
【００３７】
図１１は、本発明の他の実施形態に係るヘアドライヤーの断面図である。図１と同一部分には同一符号を付してある。本実施形態では、図１の構成に加えて、本体１の吸気口１ｂの近傍に、吸気用のファン９０と、このファン９０を回転駆動するモータ９１とが設けられている。このような構成によれば、ファン９０の回転によって、吸気口１ｂにおける吸気力が増大するため、吸気路８に吸入された空気をより一層効率良く循環させることができる。
【００３８】
以上においては、ヘアドライヤーの吹出し口１０から熱風を排出する場合について説明したが、ヒータ１４に通電せずに吹出し口１０から冷風を排出する場合にも、本発明は有効である。すなわち、頭部付近の冷たい空気をすみやかに回収することで、皮膚が冷えすぎるのを抑制でき、また、周囲の空気が不必要に冷却されたり、冷風に混じっている匂いで空気が汚濁されたりするのを効果的に防止することができる。
【図面の簡単な説明】
【００３９】
【図１】本発明に係るヘアドライヤーの一実施形態を示す断面図である。
【図２】空気を循環させない場合の実施形態を示す断面図である。
【図３】切替機構の一例を示した要部断面図である。
【図４】切替機構の他の例を示した要部断面図である。
【図５】本発明の他の実施形態に係るヘアドライヤーの分解斜視図である。
【図６】同ヘアドライヤーの外観図である。
【図７】同ヘアドライヤーの断面図である。
【図８】吹出し口付近の構造による空気吸入効果の違いを説明する図である。
【図９】本発明の他の実施形態に係るヘアドライヤーの要部断面図である。
【図１０】本発明の他の実施形態に係るヘアドライヤーの要部断面図である。
【図１１】本発明の他の実施形態に係るヘアドライヤーの断面図である。
【符号の説明】
【００４０】
１    本体
２    筒状体
３    切替板
４    熱風
５    頭部
８    吸気路
１０  吹出し口
１１  開口部
１２  ファン
１３  モータ
１４  ヒータ
１５  把持部
２０  回転ツマミ
３１  切替板
４０  ヘアドライヤー
４１  本体
４２  吹出し口
４３  把持部
５０  筒状体
５９  吸気路
６０  リング体
７０  キャップ
８１，８２  筒状体
９０  ファン
９１  モータ
１００  ヘアドライヤー
２００  ヘアドライヤー
【図１】
2006130181.tif 000003
【図２】
2006130181.tif 000004
【図３】
2006130181.tif 000005
【図４】
2006130181.tif 000006
【図５】
2006130181.tif 000007
【図６】
2006130181.tif 000008
【図７】
2006130181.tif 000009
【図８】
2006130181.tif 000010
【図９】
2006130181.tif 000011
【図１０】
2006130181.tif 000012
【図１１】
2006130181.tif 000013